(57)【特許請求の範囲】
【請求項１】
調理物を収納して加熱調理する加熱室と、高周波電磁波を発振する高周波発振器と、この高周波発振器に高電圧を印加する為の高圧トランスと、調理物を加熱調理する電熱装置と、調理時間や調理手段を選択、設定するタイマースイッチを有する制御部を備え、前記タイマースイッチ内に、前記高周波発振器による高周波加熱調理を行う３接点の高周波加熱用スイッチと、前記電熱装置による電熱加熱調理を行う２接点の電熱加熱用スイッチと、設定された時間間隔で接点を切り換える３接点の断続スイッチを内蔵し、前記電熱装置を高圧トランスと並列に接続して、前記高周波加熱用スイッチと高圧トランス、電熱加熱用スイッチと電熱装置にそれぞれ直列に接続し、３接点断続スイッチのＣｏｍ側接点を入力側に直列接続し、負荷側の一方の接点を前記高周波加熱用スイッチのＣｏｍ接点と接続し、負荷側の他の接点を前記電熱加熱用スイッチと接続し、前記高周波加熱用スイッチのＮＣ接点を前記高圧トランスと接続し、かつＮＯ接点を前記電熱加熱用スイッチ接点と接続し、前記制御部表面には前記タイマースイッチに備えられたタイマーツマミと出力切り換えツマミを取り付ける構成の電熱装置付き高周波加熱装置。
【発明の詳細な説明】
【０００１】
【発明の属する技術分野】
本発明は、高周波加熱調理、電熱加熱調理、そしてこれらを交互に使用する交互加熱調理の３モード調理を行うことができるタイマースイッチを制御部に有する電熱装置付き高周波加熱装置の構成に関する。
【０００２】
【従来の技術】
従来より、タイマースイッチを有する電熱装置付き高周波加熱装置には、特開平６−２６５１５３号公報にみられるものがあり、これは、タイマースイッチとは別に高周波加熱用スイッチ、電熱加熱用スイッチを９０゜間隔で配置し、これらを切換えツマミに設けたアクチュエーターでＯＮ、ＯＦＦさせるようにしたものである。この構成では、出力切換えツマミで出力を設定し、調理方法を切換えツマミで設定し、タイマーツマミで調理時間を設定して調理を開始する。
【０００３】
また、出力切換えツマミ部には、″出力大″、″出力中″、″出力小″と記載されるだけであった。
【０００４】
【発明が解決しようとする課題】
しかしながら従来のタイマースイッチを使用した電熱装置付き高周波加熱装置では、タイマースイッチとは別に高周波加熱用スイッチと電熱加熱用スイッチを９０゜の間隔に配置して制御部に固着し、切換えツマミにより前記スイッチをＯＮ、ＯＦＦさせるようにしたものであり、部品点数が多くコスト高となるばかりでなく、組立工数が多く必要となり作業性にも問題があった。
【０００５】
また、タイマースイッチを使用する場合、高周波出力と電熱出力の出力を連続的に変えることができるが、切換えツマミ部の表示は断続して″出力大″、″出力中″、″出力小″が記載されているだけであり、使用者には表示した数種類の出力切換えしかできない印象を与えていた。
【０００６】
【課題を解決するための手段】
上記課題を解決するために、タイマースイッチを有する制御部を備え、このタイマースイッチ内に、高周波発振器による高周波加熱調理を行う３接点の高周波加熱調理用スイッチと、電熱装置による電熱加熱調理を行う２接点の電熱加熱用スイッチと、設定された時間間隔で接点を切り換える３接点の断続スイッチを内蔵し、電熱装置を高圧トランスと並列に接続して、高周波加熱用スイッチと高圧トランス、電熱加熱用スイッチと電熱装置に夫々直列に接続し、３接点断続スイッチのＣｏｍ側接点を入力側に直列接続し、負荷側の一方の接点を高周波加熱用スイッチのＣｏｍ接点と接続し、負荷側の他の接点を電熱加熱用スイッチと接続し、高周波加熱用スイッチのＮＣ接点を高圧トランスと接続し、高周波加熱用スイッチのＮＯ接点を電熱加熱用スイッチ接点と接続し、制御部にはタイマースイッチに備えられたタイマースイッチと出力切り換えツマミを取り付ける構成とした。
【０００７】
そしてタイマースイッチを制御部本体に取り付けるだけで制御部を構成することができ、従来例のように多くの部品を必要とせず、コスト的にも、作業的にも大いに改善されたものとなる。
【０００８】
また、タイマーツマミと出力切り換えツマミの２つのツマミを操作するだけで調理を行うことができることから、３つのツマミ操作を必要とした従来例よりも操作性が大いに改善されたものとなる。
【０００９】
【発明の実施の形態】
本発明では、タイマースイッチ内に、高周波発振器による高周波加熱調理を行う３接点の高周波加熱用スイッチと、電熱装置による電熱加熱調理を行う２接点の電熱加熱用スイッチと、設定されて時間間隔で接点を切り換える３接点の断続スイッチを内蔵し、電熱装置を高圧トランスと並列に接続して、高周波加熱用スイッチと高圧トランス電熱加熱用スイッチと電熱装置に直列に接続し、３接点断続スイッチのＣｏｍ側接点を入力側に直列接続し、負荷側の一方の接点を高周波加熱用スイッチのＣｏｍ接点と接続し、負荷側の他の接点を電熱加熱用スイッチと接続し、高周波加熱用スイッチのＮＣ接点を高圧トランスと接続し 、高周波加熱用スイッチのＮＯ接点を電熱加熱用スイッチ接点と接続し、制御部本体には、タイマースイッチ軸に挿入されたタイマーツマミと出力切り換えツマミを取り付ける構成とした。
【００１０】
そしてタイマースイッチを制御部本体に取り付けるだけで制御部を構成することができ、従来例のように多くの部品を必要とせず、コスト的にも、作業的にも大いに改善されたものとなる。タイマーツマミと出力切り換えツマミの２つのツマミを操作するだけで調理を行うことができることから、３つのツマミ操作を必要とした従来例よりも操作性が大いに改善されたものとなる。すなわち、出力切り換えツマミで高周波加熱調理を設定し、調理時間をタイマーツマミで設定した場合、タイマースイッチ内の歯車とカムの作用によって高周波加熱用スイッチが高圧トランス側に切り換わり、電熱加熱用スイッチはＯＦＦした状態となる。そして、断続スイッチが設定された高周波出力に応じた所定のサイクルによって断続スイッチが高周波加熱用スイッチと電熱加熱用スイッチ側とに切り換わることを繰り返して高周波発振器に高電圧が印加され高周波加熱調理を行うことができる。一方、出力切り換えツマミで電熱加熱調理が選択された場合、タイマースイッチ内の高周波加熱用スイッチが電熱加熱用スイッチ側に切り換わり、電熱加熱用スイッチがＯＮし、断続スイッチはタイマースイッチで規定された間隔でＯＮ、ＯＦＦを繰り返すことになる。断続スイッチが高周波加熱用スイッチと電熱加熱用スイッチ側とに切り換わることを繰り返しても常に電熱装置だけ通電される状態となり、電熱加熱調理を行うことができる。また、出力切り換えツマミで交互加熱が選択された場合、高周波加熱用スイッチが電熱加熱用スイッチ側に切り換わり、かつ電熱加熱用スイッチがＯＮし、出力切り換えツマミで設定した時間間隔で断続スイッチの接点が高圧トランス側と電熱装置側に切り換わり、高周波発振器による高周波加熱と電熱装置による電熱加熱が交互に繰り返えされる交互加熱を行うことができる。このように本発明は、２ケのツマミを操作するだけで所望の調理を行うことができる。
【００１１】
また高周波加熱用ランプを前記高圧トランスと直列に、電熱加熱用ランプを電熱装置と直列に接続し、当該２ケのランプを制御部本体表面に取り付ける構成とすれば、高圧トランスに通電される高周波加熱時には高周波加熱用ランプのみが点灯し、電熱加熱用ランプは電熱装置に通電される時のみ点灯することになる。交互加熱時には高周波加熱用ランプと電熱加熱用ランプが設定された時間間隔で点滅を繰り返すことになる。出力切り換えツマミがどの位置に設定されていてもランプの点灯状態で使用者に加熱状態を知らせることが可能となり、使用者はより多くの調理手段を容易に選択することが可能となる。
【００１２】
【実施例】
以下、本発明の実施例について図面を用いて説明する。
【００１３】
（実施例）
図１は、本発明の実施例である電熱装置付き高周波加熱装置の本体回路図、図２は本発明の実施例に使用したタイマースイッチの正面及び側面の外観図、図３は本発明の実施例である電熱装置付き高周波加熱装置の内部構成斜視図、図４は、本発明の実施例である電熱装置付き高周波加熱装置制御部のデザイン図、図５は、本発明の実施例に使用したタイマースイッチのタイムチャートと内蔵されたスイッチの動作説明図である。
【００１４】
図３の内部構成図に示しているように本発明の電熱装置付き高周波加熱装置１には調理物を収納して調理する為の加熱室７、加熱室７に収納された調理物を高周波加熱調理する為の高周波発振器２および高周波発振器２に高電圧を印加するための高圧トランス４などが取り付けられている。また、調理物に焦げ目をつけるために電熱装置３が加熱室７の上面に固着されている。高周波発振器２や電熱装置３への通電を制御するために制御部８（図示せず）には、タイマースイッチ５が制御部８の内側から固着され、タイマースイッチ軸１１にはタイマーツマミ９、出力切り換えツマミ１０が制御部表面から操作できるように取付けられている。
【００１５】
タイマースイッチ５には、図２のタイマースイッチ外観図に示しているようにタイマーメインスイッチＳＷ１、３接点の高周波加熱用スイッチＳＷ２、電熱加熱用スイッチＳＷ３および３接点の断続スイッチＳＷ４が内蔵されている。これらのスイッチ類は図１に示した本発明の本体回路図のように配線されている。すなわち 高圧トランス４を電熱装置３と並列に接続して、高周波加熱用スイッチＳＷ２を高圧トランスと直列に、電熱加熱用スイッチＳＷ３を電熱装置３と直列に接続し、３接点断続スイッチＳＷ４のＣｏｍ側接点を入力側に直列接続し、断続スイッチの負荷側の一方の接点を高周波加熱用スイッチＳＷ２のＣｏｍ接点と接続し、負荷側の他の接点を電熱加熱用スイッチＳＷ３と接続し、高周波加熱用スイッチＳＷ２のＮＣ接点を高圧トランスと接続し、高周波加熱用スイッチのＮＯ接点を断続スイッチＳＷ４からの配線と並列になるように電熱加熱用スイッチＳＷ３と接続する構成としている。
【００１６】
また、本発明に使用したタイマースイッチ５のタイムチャートおよび内蔵スイッチ類の動作は図５のようになる。また、制御部のデザインを図４に示している。次にこのタイムチャートにもとづく動作を説明する。すなわち、制御部８に回転自在に取り付けられた出力切り換えツマミ１０が図４に示すＡの範囲にあるときは高周波加熱調理を、出力切り換えツマミ１０が図４に示すＢの範囲にある時は高周波発振器２と電熱装置３が交互に通電される交互加熱を、出力切り換えツマミ１０が図４に示すＣの位置に設定されると電熱装置３のみが通電される電熱加熱調理を行うことができる。
【００１７】
次に各調理時の動作を説明する。高周波加熱調理で例えば図５に示したタイムチャート上の”Ｍｅｄ”が出力切り換えツマミ１０で選択された場合の動作を説明する。ドアー６を開いて調理物を加熱室７内に入れ、ドアー６と連動したショートスイッチＳＷ７は開放されラッチスイッチＡ：ＳＷ５、ラッチスイッチＢ：ＳＷ６が閉じる。次に、出力切り換えツマミ１０を回転させて”Ｍｅｄ”を選択すると出力切り換えツマミからタイマースイッチ軸１１を介してタイマースイッチ５内に力が伝達され、高周波加熱用スイッチＳＷ２は高圧トランス側に切り換わり、電熱加熱用スイッチＳＷ３はＯＦＦの状態となる。次にタイマーツマミ９によって調理時間を設定すると、メインスイッチＳＷ１が閉じて高周波加熱調理が開始されることになる。本発明の実施例に使用したタイマースイッチ５では”Ｍｅｄ”出力の場合、２６．４秒の１サイクル中１４．５秒だけ３接点断続スイッチＳＷ４の負荷側接点が高圧トランス４と接触することになり、この周期で断続スイッチが高周波加熱用スイッチと電熱加熱用スイッチ側とに切り換わることをタイマーツマミで設定された時間の間繰り返し、高周波発振器２を動作させることになる。この時電熱加熱用スイッチＳＷ３はＯＦＦとなっているので電熱装置３に通電されることはない。
【００１８】
次に電熱加熱調理の場合を説明する。出力切り換えツマミ１０で電熱加熱調理、すなわち図４中Ｃ点が選択されると、電熱加熱用スイッチＳＷ３はＯＮし、高周波加熱用スイッチＳＷ２は高圧トランス側、すなわちＮＣ接点側となる。この状態を図５に示している。
【００１９】
図５に示したタイムチャートはタイマースイッチ５内の歯車、カム形状によって決定されるもので、図５でａの範囲は断続スイッチ４がＮＣ接点側となり、ｂの範囲では断続スイッチ４が電熱加熱用スイッチ側、すなわちＮＯ接点側になることになる。断続スイッチ４がＮＣ接点側にある時は図１中、電熱装置→電熱加熱用スイッチ→高周波加熱用スイッチ→断続スイッチの回路により電熱装置に通電される。また、断続スイッチＳＷ４がＮＯ接点側にある時は、電熱装置→電熱加熱用スイッチ→断続スイッチの回路により電熱装置にのみ通電される。すなわち電熱加熱が選択されると本発明の構成により常に電熱装置に通電されることになる。
【００２０】
次に交互加熱の場合であるが、出力切り換えツマミ１０で”Ｃｏｍｂ”が選択されると、高周波加熱用スイッチＳＷ２は高圧トランス側に切り換わり、電熱加熱用スイッチＳＷ３はＯＮし、断続スイッチＳＷ４のＮＣ接点とＮＯ接点の切り替わりの間隔で高周波加熱調理と電熱加熱調理が交互に繰り返されることになる。例えば図４中の”Ｃｏｍｂ２”が選択されると、本発明例に使用したタイマースイッチでは、高周波加熱調理が８．６秒、電熱加熱調理が２６．４−８．６＝１７．８秒のサイクルでタイマーツマミ９で設定された時間だけ繰り返されることになる。
【００２１】
さらに他の本発明では、高周波加熱用ランプＬＭを高圧トランス４と直列に、電熱加熱用ランプＬＨを電熱装置３と直列に接続する構成としたことにより、高圧トランスに通電される高周波加熱調理時には高周波加熱用回路がＯＮしている時間だけ高周波加熱用ランプＬＭが点灯し、電熱装置３に通電される電熱加熱調理時には電熱加熱用ランプＬＨのみが点灯することになる。また、図４中Ｂ範囲の交互加熱が選択されると、選択された出力切り換えツマミ１０の位置に応じたタイミングで高周波加熱用ランプＬＭと電熱加熱用ランプＬＨが交互に点灯することになる。本発明例では図４に示している様に制御部本体にランプを固着していることから容易に通電状態を把握することができるだけでなく、制御部表面に表示されていない出力も容易に把握でき、より多くの調理手段を選択することが可能となる。
【００２２】
【発明の効果】
以上のように本発明では、出力切り換えツマミで出力を選択し、タイマーツマミで調理時間を設定するだけで、高周波加熱調理、電熱加熱調理および交互加熱調理を行うことができ、３ケのツマミ操作を要していた従来例よりも操作性に優れたものとなる。また、部品点数も少なくコスト的に有利なだけでなく、作業性も改善されたものとなる。さらに、スイッチ類がタイマースイッチ部に一体に取り付けられていることから部品相互の位置ズレが少なく品質的にも安定したものとなる。
【図面の簡単な説明】
【図１】  本発明の実施例の電熱装置付き高周波加熱装置の本体回路図
【図２】  同タイマースイッチの外観図
【図３】  同電熱装置付き高周波加熱装置の内部構成斜視図
【図４】  同電熱装置付き高周波加熱装置制御部のデザイン図
【図５】  同タイマースイッチのタイムチャートと内蔵されたスイッチの動作説明図
【符号の説明】
２  高周波発振器
３  電熱装置
４  高圧トランス
５  タイマースイッチ
７  加熱室
８  制御部
９  タイマーツマミ
１０  出力切り換えツマミ
１１  タイマースイッチ軸
ＳＷ１  メインスイッチ
ＳＷ２  高周波加熱用スイッチ
ＳＷ３  電熱加熱用スイッチ
ＳＷ４  断続スイッチ
ＬＭ  高周波加熱用ランプ
ＬＨ  電熱加熱用ランプ
【図１】
0003903597.tif 000002
【図２】
0003903597.tif 000003
【図３】
0003903597.tif 000004
【図４】
0003903597.tif 000005
【図５】
0003903597.tif 000006